【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
所定の遊技を実行可能な遊技機であって、
所定の動作を行なう可動部材と、
遊技状態を制御するとともに遊技機で異常が発生したときに異常報知指定コマンドを送信する遊技制御手段と、
前記異常報知指定コマンドを受信する毎に、音声報知手段を制御して、前記異常報知指定コマンドに基づく音声による異常報知を所定の報知許容期間において行なう異常報知制御手段と、
遊技機への電力供給が停止しても所定期間記憶内容を保持可能であり、制御を行なう際に発生する変動データを記憶する変動データ記憶手段と、
遊技機への電力供給が開始されたときに、所定条件の成立に基づいて前記変動データ記憶手段の記憶内容を初期化する初期化処理を実行する初期化手段と、
前記初期化手段によって前記初期化処理が実行されたことに基づいて、初期化報知を実行する初期化報知手段と、
遊技機への電力供給が開始されたことに基づいて、前記可動部材の初期動作を実行する初期動作実行手段とを備え、
前記初期動作実行手段は、前記初期化報知手段による前記初期化報知の実行を終了した後に、前記可動部材の初期動作を実行し、
前記異常報知制御手段は、前記異常報知指定コマンドを新たに受信した際、前記異常報知制御手段が先に受信済みの異常報知指定コマンドに基づく異常報知を行なっている場合に、新たに受信した異常報知指定コマンドと先に受信済みの異常報知指定コマンドとの予め定められた優先順位を比較する比較手段を含み、
前記異常報知制御手段は、
前記比較手段によって比較された結果、新たに受信した異常報知指定コマンドと先に受信済みの異常報知指定コマンドとが同じ優先順位である場合または新たに受信した異常報知指定コマンドが先に受信済みの異常報知指定コマンドよりも優先順位が低い場合に、先に受信済みの異常報知指定コマンドに基づく報知が終了した時点で、新たに受信した異常報知指定コマンドに基づいた異常報知の前記報知許容期間が経過していなければ、新たに受信した異常報知指定コマンドに基づく報知を開始し、
前記異常報知指定コマンドを受信した際、前記初期化報知手段が前記初期化報知を実行している場合に、前記初期化報知が終了した時点で、受信した異常報知指定コマンドに基づいた異常報知の前記報知許容期間が経過していなければ、受信した異常報知指定コマンドに基づく報知を開始する、遊技機。
【手続補正２】
【補正対象書類名】明細書
【補正対象項目名】００１０
【補正方法】変更
【補正の内容】
【００１０】
（手段１）本発明による遊技機は、所定の遊技を実行可能な遊技機であって、
所定の動作を行なう可動部材（たとえば、第２の実施の形態における可動部材７８や演出羽根役物７９ａ，７９ｂなどの役物）と、
遊技状態を制御するとともに遊技機で異常（たとえば、図４７、図５７参照）が発生したときに異常報知指定コマンドを送信する遊技制御手段（たとえば、遊技制御用マイクロコンピュータ５６０、特に、図１４のステップＳ２３〜ステップＳ２７，ステップＳ４２、図２７、図３１を実行する部分）と、
異常報知指定コマンドを受信する毎に、音声報知手段（たとえば、音声出力基板７０）を制御して、異常報知指定コマンドに基づく音声による異常報知を所定の報知許容期間において行なう異常報知制御手段（たとえば、演出制御用マイクロコンピュータ１００、特に、図４１，図５０のステップＳ７０７、図４５，図５３のステップＳ３００２、図４５，図５４のステップＳ３０１２、図４６，図５５のステップＳ３０２２、図４６のステップＳ３０２７、図５６のステップＳ３０４２を実行する部分）と、
遊技機への電力供給が停止しても所定期間記憶内容を保持可能であり、制御を行なう際に発生する変動データを記憶する変動データ記憶手段（たとえば、バックアップＲＡＭとしてのＲＡＭ５５）と、
遊技機への電力供給が開始されたときに、所定条件の成立（たとえば、クリアスイッチのオン）に基づいて変動データ記憶手段の記憶内容を初期化する初期化処理を実行する初期化手段（たとえば、遊技制御用マイクロコンピュータ５６０における図１２のステップＳ１０を実行する部分）と、
初期化手段によって初期化処理が実行されたことに基づいて、初期化報知を実行する初期化報知手段（たとえば、第２の実施の形態において、演出制御用マイクロコンピュータ１００における図５３のステップＳ３１０１〜Ｓ３１１１を実行する部分）と、
遊技機への電力供給が開始されたことに基づいて、可動部材の初期動作を実行する初期動作実行手段（たとえば、第２の実施の形態において、演出制御用マイクロコンピュータ１００における図５０のステップＳ７０８を実行する部分）とを備え、
初期動作実行手段は、初期化報知手段による初期化報知の実行を終了した後に、可動部材の初期動作を実行し（たとえば、第２の実施の形態において、演出制御用マイクロコンピュータ１００は、図５８のステップＳ３５０２でＹと判定したことを条件に図５８のステップＳ３５０３以降の処理に移行して役物の初期動作を実行する）、
異常報知制御手段は、異常報知指定コマンドを新たに受信した際、異常報知制御手段が先に受信済みの異常報知指定コマンドに基づく異常報知を行なっている場合に、新たに受信した異常報知指定コマンドと先に受信済みの異常報知指定コマンドとの予め定められた優先順位（たとえば、図５７参照）を比較する比較手段（たとえば、演出制御用マイクロコンピュータ１００における図５３のステップＳ３００１Ｄ、図５４のステップＳ３０１１Ｄ、図５５のステップＳ３０２１Ｄ、図５６のステップＳ３０４１Ｄを実行する部分）を含み、
異常報知制御手段は、
比較手段によって比較された結果、新たに受信した異常報知指定コマンドと先に受信済みの異常報知指定コマンドとが同じ優先順位である場合または新たに受信した異常報知指定コマンドが先に受信済みの異常報知指定コマンドよりも優先順位が低い場合（たとえば、図５３のステップＳ３００１、図５４のステップＳ３０１０、図５５のステップＳ３０２０、図５６のステップＳ３０４１でいずれかの異常報知指定コマンドが受信されたときに、図５３のステップＳ３００１Ｃ、図５４のステップＳ３０１１Ｃ、図５５のステップＳ３０２１Ｃ、図５６のステップＳ３０４１Ｃでいずれかの異常が報知中であると判断された場合、図５３のステップＳ３００１Ｄ、図５４のステップＳ３０１１Ｄ、図５５のステップＳ３０２１Ｄ、図５６のステップＳ３０４１Ｄで報知中の異常よりも受信された異常報知指定コマンドの異常の優先順位が高くないと判断された場合）に、（たとえば、受信された異常の報知は開始されず保留され、図５３のステップＳ３００１Ｇ、図５４のステップＳ３０１１Ｇ，ステップＳ３０１４、図５５のステップＳ３０２１Ｇ，ステップＳ３０２５、図５６のステップＳ３０４１Ｇ，ステップＳ３０４４で、異常報知期間のみが開始され、）先に受信済みの異常報知指定コマンドに基づく報知が終了した時点で、新たに受信した異常報知指定コマンドに基づいた異常報知の報知許容期間が経過していなければ（たとえば、図５４のステップＳ３００６、図５５のステップＳ３０１６、図５６のステップＳ３０３６で、異常報知タイマが減算され、図５３のステップＳ３００１Ａ、図５４のステップＳ３０１１Ａ、図５５のステップＳ３０２１Ａ、図５６のステップＳ３０４１Ａで、未だ異常報知期間であると判断されているときに、図５３のステップＳ３００１Ｃ、図５４のステップＳ３０１１Ｃ、図５５のステップＳ３０２１Ｃ、図５６のステップＳ３０４１Ｃで、優先順位の高い報知中の異常が行なわれていない、つまり終了したと判断された場合）、新たに受信した異常報知指定コマンドに基づく報知を開始し（たとえば、図５３のステップＳ３００２、図５４のステップＳ３０１２、図５５のステップＳ３０２２，ステップＳ３０２３、図５６のステップＳ３０４２で、開始が保留されていた異常報知が開始される。）、
異常報知指定コマンドを受信した際、初期化報知手段が初期化報知を実行している場合（たとえば、図５３のステップＳ３００１、図５４のステップＳ３０１０、図５５のステップＳ３０２０、図５６のステップＳ３０４１でいずれかの異常報知指定コマンドが受信されたときに、図５３のステップＳ３００１Ｂ、図５４のステップＳ３０１１Ｂ、図５５のステップＳ３０２１Ｂ、図５６のステップＳ３０４１Ｂで初期化報知中であると判断された場合）に、（たとえば、受信された異常の報知は開始されず保留され、図５３のステップＳ３００１Ｇ、図５４のステップＳ３０１１Ｇ，ステップＳ３０１４、図５５のステップＳ３０２１Ｇ，ステップＳ３０２５、図５６のステップＳ３０４１Ｇ，ステップＳ３０４４で、異常報知期間のみが開始され、）初期化報知が終了した時点で、受信した異常報知指定コマンドに基づいた異常報知の報知許容期間が経過していなければ（図５４のステップＳ３００６、図５５のステップＳ３０１６、図５６のステップＳ３０３６で、異常報知タイマが減算され、図５３のステップＳ３００１Ａ、図５４のステップＳ３０１１Ａ、図５５のステップＳ３０２１Ａ、図５６のステップＳ３０４１Ａで未だ異常報知期間であると判断されているときに、図５３のステップＳ３００１Ｂ、図５４のステップＳ３０１１Ｂ、図５５のステップＳ３０２１Ｂ、図５６のステップＳ３０４１Ｂで、初期化報知中でない、つまり初期化報知が終了したと判断された場合）、受信した異常報知指定コマンドに基づく報知を開始する（たとえば、図５３のステップＳ３００２、図５４のステップＳ３０１２、図５５のステップＳ３０２２，ステップＳ３０２３、図５６のステップＳ３０４２で、開始が保留されていた異常報知が開始される。）。
【手続補正３】
【補正対象書類名】明細書
【補正対象項目名】００１１
【補正方法】変更
【補正の内容】
【００１１】
そのような構成により、初期化処理が実行されたときに初期化報知と可動部材の初期動作とにかかる電力消費を分散することができる。
（手段２）手段１において、遊技中に少なくとも音出力手段（たとえば、スピーカ２７）を用いた音出力による演出（たとえば、音出力を伴う演出図柄の変動表示）を実行可能な演出実行手段（たとえば、演出制御用マイクロコンピュータ１００におけるステップＳ８０１〜Ｓ８０３を実行する部分）を備え、初期化報知手段は、音出力手段を用いた音出力を伴う初期化報知を実行し（たとえば、第２の実施の形態において、演出制御用マイクロコンピュータ１００は、ステップＳ３１０８を実行して、音を用いた初期化報知を実行する）、演出実行手段は、初期化報知が実行されているときには、音出力手段を用いた音出力による演出を実行しない（たとえば、第２の実施の形態において、演出制御用マイクロコンピュータ１００は、ステップＳ８２６１，Ｓ８４８１でＹのときステップＳ８２６２，Ｓ８４８２を実行することにより、演出図柄の変動表示を実行する場合であっても初期化報知の音出力を継続する）ように構成されていてもよい。そのような構成によれば、初期化報知と音出力手段を用いた音出力による演出とが重複したタイミングで実行されることを防止し、電力消費が集中してしまうことを防止することができる。
（手段３）手段１または手段２において、遊技中に少なくとも発光手段（たとえば、ランプ）を用いた発光表示による演出（たとえば、ランプ表示を伴う演出図柄の変動表示）を実行可能な演出実行手段（たとえば、演出制御用マイクロコンピュータ１００におけるステップＳ８０１〜Ｓ８０３を実行する部分）を備え、初期化報知手段は、発光手段を用いた発光表示を伴う初期化報知を実行し（たとえば、第２の実施の形態において、演出制御用マイクロコンピュータ１００は、ステップＳ３１０９を実行して、ランプを用いた初期化報知を実行する）、演出実行手段は、初期化報知が実行されているときには、発光手段を用いた発光表示による演出を実行しない（たとえば、第２の実施の形態において、演出制御用マイクロコンピュータ１００は、ステップＳ８２６１，Ｓ８４８１でＹのときステップＳ８２６２，Ｓ８４８２を実行することにより、演出図柄の変動表示を実行する場合であっても初期化報知のランプ表示を継続する）ように構成されていてもよい。そのような構成によれば、初期化報知と発光手段を用いた発光表示による演出とが重複したタイミングで実行されることを防止し、電力消費が集中してしまうことを防止することができる。
（手段４）本発明による遊技機の他の態様は、遊技媒体（たとえば、遊技球）の入賞によって遊技価値を付与可能な入賞領域（たとえば、始動入賞口１４、大入賞口）を有する遊技機であって、入賞領域に入賞した遊技媒体を検出可能な入賞検出部（たとえば、始動口スイッチ１４ａ、カウントスイッチ２３）と、入賞領域に入賞した後に入賞検出部を通過した遊技媒体を検出可能な入賞確認部（たとえば、入賞確認１スイッチ１４ｂ、入賞確認２スイッチ２３ｂ）と、入賞検出部で検出された遊技媒体の数と入賞確認部で検出された遊技媒体の数との差分が所定数（たとえば、１０個）以上となる差分異常（たとえば、排出異常）が発生したことに基づいて、異常情報（たとえば、セキュリティ信号）を外部出力する外部出力手段（たとえば、遊技制御用マイクロコンピュータ５６０におけるステップＳ１０６８Ａ〜Ｓ１０６８Ｃ，Ｓ１１０２，Ｓ１１０３を実行する部分）と、差分異常が発生したことに基づいて異常報知（たとえば、排出異常報知）を実行する異常報知手段（たとえば、演出制御用マイクロコンピュータ１００におけるステップＳ３００１〜Ｓ３００３を実行する部分）と、遊技機への電力供給が停止しても少なくとも差分異常が発生したことを示す情報（たとえば、排出異常フラグ）を所定期間保持可能な記憶手段（たとえば、バックアップＲＡＭとしてのＲＡＭ５５）と、遊技機への電力供給が開始されたときに、所定条件の成立（たとえば、クリアスイッチのオン）に基づいて記憶手段の記憶内容を初期化する初期化処理を実行する初期化手段（たとえば、遊技制御用マイクロコンピュータ５６０におけるステップＳ１０を実行する部分）とを備え、外部出力手段は、異常情報を外部出力しているときに遊技機への電力供給が停止し電力供給が再開された場合には、初期化手段によって初期化処理が実行されたか否かに応じて、遊技機への電力供給が再開されてから異なる期間にわたって異常情報を外部出力し（たとえば、遊技制御用マイクロコンピュータ５６０は、初期化処理を実行した場合には、ステップＳ１４ａでセキュリティ信号情報タイマをセットしたことに基づいて、ステップＳ１０６９〜Ｓ１０７４，Ｓ１１０２，Ｓ１１０３を実行して、セキュリティ信号を３０秒間出力し、初期化処理を実行せずにステップＳ９１，９２の停電復帰処理を実行した場合には、排出異常フラグがバックアップＲＡＭにバックアップされていることに基づいて、ステップＳ１０６８Ａ〜Ｓ１０６８Ｃ，Ｓ１１０２，Ｓ１１０３を実行して、次に初期化処理が実行されるまでセキュリティ信号の出力を継続する）、異常報知手段は、異常報知を実行しているときに遊技機への電力供給が停止し、初期化手段によって初期化処理が実行されることなく遊技機への電力供給が再開された場合には、異常報知を実行しない（たとえば、排出異常報知の実行中に電源供給が停止しても、遊技制御用マイクロコンピュータ５６０は、遊技機への電源供給の再開後に排出異常報知指定コマンドを再送するなどの処理を行わず、演出制御用マイクロコンピュータ１００は、電源復旧後には排出異常報知を再開しない）ことを特徴とする。そのような構成により、異常報知を実行しているときに遊技機への電力供給が停止して再度電力供給が開始されたときに、初期化処理を実行して遊技機が起動した場合であるか、差分異常の発生後に遊技機が再起動した場合であるかを外部から認識可能とすることができる。
（手段５）手段４において、外部出力手段は、異常情報を外部出力しているときに遊技機への電力供給が停止し電力供給が再開された場合に、初期化手段によって初期化処理が実行された場合には所定期間（たとえば、３０秒間）が経過するまで異常情報を外部出力し（たとえば、遊技制御用マイクロコンピュータ５６０は、初期化処理を実行した場合には、ステップＳ１４ａでセキュリティ信号情報タイマをセットしたことに基づいて、ステップＳ１０６９〜Ｓ１０７４，Ｓ１１０２，Ｓ１１０３を実行して、セキュリティ信号を３０秒間出力する）、初期化手段によって初期化処理が実行されなかった場合には初期化処理が実行されるまで異常情報を外部出力する（たとえば、遊技制御用マイクロコンピュータ５６０は、初期化処理を実行せずにステップＳ９１，９２の停電復帰処理を実行した場合には、排出異常フラグがバックアップＲＡＭにバックアップされていることに基づいて、ステップＳ１０６８Ａ〜Ｓ１０６８Ｃ，Ｓ１１０２，Ｓ１１０３を実行して、次に初期化処理が実行されるまでセキュリティ信号の出力を継続する）ように構成されていてもよい。そのような構成によれば、初期化処理を実行して遊技機が起動した場合であるか、差分異常の発生後に遊技機が再起動した場合であるかを容易に外部から認識可能とすることができる。
（手段６）手段４または手段５において、入賞領域に遊技媒体が入賞不可能な閉鎖状態と遊技媒体が入賞容易な開放状態とに変化可能な可変入賞装置（たとえば、可変入賞球装置１５、特別可変入賞球装置２０）と、可変入賞装置が閉鎖状態であるときに入賞領域に遊技媒体が入賞する異常入賞が発生したか否かを判定する異常入賞判定手段（たとえば、遊技制御用マイクロコンピュータ５６０におけるステップＳ２５１〜Ｓ２５４，Ｓ２６１〜Ｓ２６４を実行する部分）とを備え、外部出力手段は、異常入賞判定手段によって異常入賞が発生したと判定された場合にも、差分異常が発生した場合と共通の出力端子（たとえば、ターミナル基板１６０の共通のコネクタＣＮ８）を用いて異常情報（たとえば、セキュリティ信号）を外部出力可能であり（たとえば、遊技制御用マイクロコンピュータ５６０におけるステップＳ２５５，Ｓ２６５，Ｓ１０６９〜Ｓ１０７４，Ｓ１１０２，Ｓ１１０３を実行する部分）、異常入賞が発生したことに基づいて異常情報を外部出力しているときに差分異常が発生した場合には、差分異常の発生に基づく異常情報の外部出力の制御に切り替える（たとえば、遊技制御用マイクロコンピュータ５６０は、ステップＳ１０６９〜Ｓ１０７４，Ｓ１１０２，Ｓ１１０３の処理を実行してセキュリティ信号を出力しているときに、排出異常フラグがセットされた場合には、以降、ステップＳ１０６８Ａ〜Ｓ１０６８Ｃ，Ｓ１１０２，Ｓ１１０３の処理を実行してセキュリティ信号を出力する制御に切り替える）ように構成されていてもよい。そのような構成によれば、差分異常の発生だけでなく異常入賞の発生も外部から認識可能とするとともに、出力端子の共通化によって差分異常や異常入賞の発生を認識可能とするための機構の部品数の増加や配線作業の複雑化を防ぐことができる。
（手段７）手段４から手段６のうちのいずれかにおいて、入賞領域に遊技媒体が入賞不可能な閉鎖状態と遊技媒体が入賞容易な開放状態とに変化可能な可変入賞装置（たとえば、可変入賞球装置１５、特別可変入賞球装置２０）と、可変入賞装置が閉鎖状態であるときに入賞領域に遊技媒体が入賞する異常入賞が発生したか否かを判定する異常入賞判定手段（たとえば、遊技制御用マイクロコンピュータ５６０におけるステップＳ２５１〜Ｓ２５４，Ｓ２６１〜Ｓ２６４を実行する部分）とを備え、異常報知手段は、異常入賞判定手段によって異常入賞が発生したと判定された場合にも異常報知（たとえば、異常入賞１報知、異常入賞２報知）を実行可能であり（たとえば、演出制御用マイクロコンピュータ１００におけるステップＳ３００５〜Ｓ３０２５を実行する部分）、異常入賞が発生した場合には、第１態様の異常報知を実行し（たとえば、演出制御用マイクロコンピュータ１００は、ステップＳ３０１２を実行することにより音声のみを用いた異常入賞１報知を実行する）、差分異常が発生した場合には、第１態様と比較して外部から認識しやすい第２態様の異常報知を実行する（たとえば、演出制御用マイクロコンピュータ１００は、ステップＳ３０２２，Ｓ３０２３を実行することによりランプおよび音を用いた異常入賞２報知を実行する）ように構成されていてもよい。そのような構成によれば、緊急性が高い差分異常をより目立つ態様で報知することができる。
（手段８）本発明による遊技機のさらに他の態様は、遊技媒体（たとえば、遊技球）の入賞によって遊技価値を付与可能な入賞領域（たとえば、始動入賞口１４、大入賞口）を有する遊技機であって、入賞領域に入賞した遊技媒体を検出可能な入賞検出部（たとえば、始動口スイッチ１４ａ、カウントスイッチ２３）と、入賞領域に入賞した後に入賞検出部を通過した遊技媒体を検出可能な入賞確認部（たとえば、入賞確認１スイッチ１４ｂ、入賞確認２スイッチ２３ｂ）と、入賞領域に遊技媒体が入賞不可能な閉鎖状態と遊技媒体が入賞容易な開放状態とに変化可能な可変入賞装置（たとえば、可変入賞球装置１５、特別可変入賞球装置２０）と、可変入賞装置が閉鎖状態であるときに入賞領域に遊技媒体が入賞する異常入賞が発生したか否かを判定する異常入賞判定手段（たとえば、遊技制御用マイクロコンピュータ５６０におけるステップＳ２５１〜Ｓ２５４，Ｓ２６１〜Ｓ２６４を実行する部分）と、入賞検出部で検出された遊技媒体の数と入賞確認部で検出された遊技媒体の数との差分が所定数（たとえば、１０個）以上となる差分異常（たとえば、排出異常）が発生したことに基づいて、異常情報（たとえば、セキュリティ信号）を外部出力する外部出力手段（たとえば、遊技制御用マイクロコンピュータ５６０におけるステップＳ１０６８Ａ〜Ｓ１０６８Ｃ，Ｓ１１０２，Ｓ１１０３を実行する部分）と、異常入賞判定手段が異常入賞が発生したと判定したことに基づいて異常入賞報知（たとえば、異常入賞１報知、異常入賞２報知）を実行する異常入賞報知手段（たとえば、演出制御用マイクロコンピュータ１００におけるステップＳ３００５〜Ｓ３０２５を実行する部分）と、差分異常が発生したことに基づいて異常報知（たとえば、排出異常報知）を実行する異常報知手段（たとえば、演出制御用マイクロコンピュータ１００におけるステップＳ３００１〜Ｓ３００３を実行する部分）と、遊技機への電力供給が停止しても少なくとも差分異常が発生したことを示す情報（たとえば、排出異常フラグ）を所定期間保持可能な記憶手段（たとえば、バックアップＲＡＭとしてのＲＡＭ５５）と、遊技機への電力供給が開始されたときに、所定条件の成立（たとえば、クリアスイッチのオン）に基づいて記憶手段の記憶内容を初期化する初期化処理を実行する初期化手段（たとえば、遊技制御用マイクロコンピュータ５６０におけるステップＳ１０を実行する部分）とを備え、外部出力手段は、異常情報を外部出力しているときに遊技機への電力供給が停止し電力供給が再開された場合には、初期化手段によって初期化処理が実行されたか否かに応じて、遊技機への電力供給が再開されてから異なる期間にわたって異常情報を外部出力し（たとえば、遊技制御用マイクロコンピュータ５６０は、初期化処理を実行した場合には、ステップＳ１４ａでセキュリティ信号情報タイマをセットしたことに基づいて、ステップＳ１０６９〜Ｓ１０７４，Ｓ１１０２，Ｓ１１０３を実行して、セキュリティ信号を３０秒間出力し、初期化処理を実行せずにステップＳ９１，９２の停電復帰処理を実行した場合には、排出異常フラグがバックアップＲＡＭにバックアップされていることに基づいて、ステップＳ１０６８Ａ〜Ｓ１０６８Ｃ，Ｓ１１０２，Ｓ１１０３を実行して、次に初期化処理が実行されるまでセキュリティ信号の出力を継続する）、異常入賞報知手段は、可変入賞装置が閉鎖状態であるときに入賞領域に遊技媒体が第１所定数（たとえば、２０個）入賞した場合には、第１態様の異常入賞報知を実行し（たとえば、演出制御用マイクロコンピュータ１００は、ステップＳ３０１２を実行することにより音声のみを用いた異常入賞１報知を実行する）、可変入賞装置が閉鎖状態であるときに入賞領域に遊技媒体が第１所定数より多い第２所定数（たとえば、５０個）入賞した場合には、第１態様とは異なる第２態様の異常入賞報知を実行し（たとえば、演出制御用マイクロコンピュータ１００は、ステップＳ３０２２，Ｓ３０２３を実行することによりランプおよび音を用いた異常入賞２報知を実行する）、異常報知手段は、異常報知を実行しているときに遊技機への電力供給が停止し、初期化手段によって初期化処理が実行されることなく遊技機への電力供給が再開された場合には、異常報知を実行しない（たとえば、排出異常報知の実行中に電源供給が停止しても、遊技制御用マイクロコンピュータ５６０は、遊技機への電源供給の再開後に排出異常報知指定コマンドを再送するなどの処理を行わず、演出制御用マイクロコンピュータ１００は、電源復旧後には排出異常報知を再開しない）ことを特徴とする。そのような構成により、異常報知を実行しているときに遊技機への電力供給が停止して再度電力供給が開始されたときに、初期化処理を実行して遊技機が起動した場合であるか、差分異常の発生後に遊技機が再起動した場合であるかを外部から認識可能とすることができる。
（手段９）手段８において、異常入賞報知手段は、第１態様の異常入賞報知として第１演出手段（たとえば、スピーカ２７）を用いた異常入賞報知を実行し（たとえば、演出制御用マイクロコンピュータ１００は、ステップＳ３０１２を実行することにより音声のみを用いた異常入賞１報知を実行する）、第２態様の異常入賞報知として第１演出手段（たとえば、スピーカ２７）および第２演出手段（たとえば、ランプ）を用いた異常入賞報知を実行する（たとえば、演出制御用マイクロコンピュータ１００は、ステップＳ３０２２，Ｓ３０２３を実行することによりランプおよび音を用いた異常入賞２報知を実行する）ように構成されていてもよい。そのような構成によれば、可変入賞装置が閉鎖状態であるときに入賞領域へのより多くの入賞を検出した緊急性が高い異常入賞をより目立つ態様で報知することができる。
（手段１０）本発明による遊技機のさらに他の態様は、遊技媒体（たとえば、遊技球）の入賞によって遊技価値を付与可能な入賞領域（たとえば、始動入賞口１４、大入賞口）を有する遊技機であって、入賞領域に入賞した遊技媒体を検出可能な入賞検出部（たとえば、始動口スイッチ１４ａ、カウントスイッチ２３）と、入賞領域に入賞した後に入賞検出部を通過した遊技媒体を検出可能な入賞確認部（たとえば、入賞確認１スイッチ１４ｂ、入賞確認２スイッチ２３ｂ）と、入賞領域に遊技媒体が入賞不可能な閉鎖状態と遊技媒体が入賞容易な開放状態とに変化可能な可変入賞装置（たとえば、可変入賞球装置１５、特別可変入賞球装置２０）と、可変入賞装置が閉鎖状態であるときに入賞領域に遊技媒体が入賞する異常入賞が発生したか否かを判定する異常入賞判定手段（たとえば、遊技制御用マイクロコンピュータ５６０におけるステップＳ２５１〜Ｓ２５４，Ｓ２６１〜Ｓ２６４を実行する部分）と、入賞検出部で検出された遊技媒体の数と入賞確認部で検出された遊技媒体の数との差分が所定数（たとえば、１０個）以上となる差分異常（たとえば、排出異常）が発生したことに基づいて、異常情報（たとえば、セキュリティ信号）を外部出力する外部出力手段（たとえば、遊技制御用マイクロコンピュータ５６０におけるステップＳ１０６８Ａ〜Ｓ１０６８Ｃ，Ｓ１１０２，Ｓ１１０３を実行する部分）と、異常入賞判定手段が異常入賞が発生したと判定したことに基づいて異常入賞報知（たとえば、異常入賞１報知、異常入賞２報知）を実行する異常入賞報知手段（たとえば、演出制御用マイクロコンピュータ１００におけるステップＳ３００５〜Ｓ３０２５を実行する部分）と、差分異常が発生したことに基づいて異常報知（たとえば、排出異常報知）を実行する異常報知手段（たとえば、演出制御用マイクロコンピュータ１００におけるステップＳ３００１〜Ｓ３００３を実行する部分）と、遊技機への電力供給が停止しても少なくとも差分異常が発生したことを示す情報（たとえば、排出異常フラグ）を所定期間保持可能な記憶手段（たとえば、バックアップＲＡＭとしてのＲＡＭ５５）と、遊技機への電力供給が開始されたときに、所定条件の成立（たとえば、クリアスイッチのオン）に基づいて記憶手段の記憶内容を初期化する初期化処理を実行する初期化手段（たとえば、遊技制御用マイクロコンピュータ５６０におけるステップＳ１０を実行する部分）とを備え、外部出力手段は、異常情報を外部出力しているときに遊技機への電力供給が停止し電力供給が再開された場合には、初期化手段によって初期化処理が実行されたか否かに応じて、遊技機への電力供給が再開されてから異なる期間にわたって異常情報を外部出力し（たとえば、遊技制御用マイクロコンピュータ５６０は、初期化処理を実行した場合には、ステップＳ１４ａでセキュリティ信号情報タイマをセットしたことに基づいて、ステップＳ１０６９〜Ｓ１０７４，Ｓ１１０２，Ｓ１１０３を実行して、セキュリティ信号を３０秒間出力し、初期化処理を実行せずにステップＳ９１，９２の停電復帰処理を実行した場合には、排出異常フラグがバックアップＲＡＭにバックアップされていることに基づいて、ステップＳ１０６８Ａ〜Ｓ１０６８Ｃ，Ｓ１１０２，Ｓ１１０３を実行して、次に初期化処理が実行されるまでセキュリティ信号の出力を継続する）、異常入賞報知手段は、可変入賞装置が閉鎖状態であるときに入賞領域に遊技媒体が第１所定数（たとえば、２０個）入賞した場合には、異常入賞が発生したと判定されてから所定期間（たとえば、３１秒間）経過後に異常入賞報知の実行を終了し（たとえば、演出制御用マイクロコンピュータ１００は、ステップＳ３００５〜Ｓ３０１４を実行することにより異常入賞１報知を３１秒間実行する）、可変入賞装置が閉鎖状態であるときに入賞領域に遊技媒体が第１所定数より多い第２所定数（たとえば、５０個）入賞した場合には、異常入賞が発生したと判定されてから所定期間よりも長い特定期間（たとえば、３００秒間）経過後に異常入賞報知の実行を終了し（たとえば、演出制御用マイクロコンピュータ１００は、ステップＳ３０１５〜Ｓ３０２５を実行することにより異常入賞２報知を３００秒間実行する）、異常報知手段は、異常報知を実行しているときに遊技機への電力供給が停止し、初期化手段によって初期化処理が実行されることなく遊技機への電力供給が再開された場合には、異常報知を実行しない（たとえば、排出異常報知の実行中に電源供給が停止しても、遊技制御用マイクロコンピュータ５６０は、遊技機への電源供給の再開後に排出異常報知指定コマンドを再送するなどの処理を行わず、演出制御用マイクロコンピュータ１００は、電源復旧後には排出異常報知を再開しない）ことを特徴とする。そのような構成により、異常報知を実行しているときに遊技機への電力供給が停止して再度電力供給が開始されたときに、初期化処理を実行して遊技機が起動した場合であるか、差分異常の発生後に遊技機が再起動した場合であるかを外部から認識可能とすることができる。
（手段１１）手段１０において、異常入賞報知手段は、所定期間が経過するまで異常入賞報知を実行する場合には、第１演出手段（たとえば、スピーカ２７）を用いた異常入賞報知を実行し（たとえば、演出制御用マイクロコンピュータ１００は、ステップＳ３０１２を実行することにより音声のみを用いた異常入賞１報知を実行する）、特定期間が経過するまで異常入賞報知を実行する場合には、第１演出手段（たとえば、スピーカ２７）および第２演出手段（たとえば、ランプ）を用いた異常入賞報知を実行する（たとえば、演出制御用マイクロコンピュータ１００は、ステップＳ３０２２，Ｓ３０２３を実行することによりランプおよび音を用いた異常入賞２報知を実行する）ように構成されていてもよい。そのような構成によれば、可変入賞装置が閉鎖状態であるときに入賞領域へのより多くの入賞を検出した緊急性が高い異常入賞をより目立つ態様で報知することができる。
（手段１２）本発明による遊技機のさらに他の態様は、各々を識別可能な複数種類の識別情報（たとえば、演出図柄）の可変表示を行い表示結果を導出表示し、表示結果としてあらかじめ定められた特定表示結果（たとえば、大当り図柄）が導出表示されたときに遊技者にとって有利な特定遊技状態（たとえば、大当り遊技状態）に制御する遊技機であって、所定の動作を行なう可動部材（たとえば、第２の実施の形態における可動部材７８や演出羽根役物７９ａ，７９ｂなどの役物）と、遊技機への電力供給が停止しても所定期間記憶内容を保持可能であり、制御を行なう際に発生する変動データを記憶する変動データ記憶手段（たとえば、バックアップＲＡＭとしてのＲＡＭ５５）と、遊技機への電力供給が開始されたときに、所定条件の成立（たとえば、クリアスイッチのオン）に基づいて変動データ記憶手段の記憶内容を初期化する初期化処理を実行する初期化手段（たとえば、遊技制御用マイクロコンピュータ５６０におけるステップＳ１０を実行する部分）と、初期化手段によって初期化処理が実行されたことに基づいて、初期化報知を実行する初期化報知手段（たとえば、第２の実施の形態において、演出制御用マイクロコンピュータ１００におけるステップＳ３１０１〜Ｓ３１１１を実行する部分）と、遊技機への電力供給が開始されたことに基づいて、可動部材の初期動作を実行する初期動作実行手段（たとえば、第２の実施の形態において、演出制御用マイクロコンピュータ１００におけるステップＳ７０８を実行する部分）とを備え、初期化報知手段は、初期化報知の実行中に識別情報の可変表示が開始されるときには、当該識別情報の可変表示とともに初期化報知を実行し（たとえば、第２の実施の形態において、演出制御用マイクロコンピュータ１００は、ステップＳ８２６１，Ｓ８４８１でＹのときステップＳ８２６２，Ｓ８４８２を実行することにより、演出図柄の変動表示を実行する場合であっても初期化報知のランプ表示および音出力を継続する）、初期動作実行手段は、初期化報知手段による初期化報知の実行を終了した後に、可動部材の初期動作を実行し（たとえば、第２の実施の形態において、演出制御用マイクロコンピュータ１００は、ステップＳ３５０２でＹと判定したことを条件にステップＳ３５０３以降の処理に移行して役物の初期動作を実行する）、可動部材の初期動作を開始するにあたって識別情報の可変表示が実行されているときには、当該識別情報の可変表示とともに可動部材の初期動作を実行する（たとえば、第２の実施の形態において、演出制御用マイクロコンピュータ１００は、役物初期動作処理においてステップＳ３５０３でＮのとき演出図柄の変動表示中であるか否かにかかわらずステップＳ３５０４以降の処理に移行して役物の初期動作を開始する）ことを特徴とする。そのような構成により、初期化処理が実行されたときに初期化報知と可動部材の初期動作とにかかる電力消費を分散することができる。また、識別情報の可変表示が実行される場合であっても初期化報知や可動部材の初期動作を実行することができる。
（手段１３）本発明による遊技機のさらに他の態様は、各々を識別可能な複数種類の識別情報（たとえば、演出図柄）の可変表示を行い表示結果を導出表示し、表示結果としてあらかじめ定められた特定表示結果（たとえば、大当り図柄）が導出表示されたときに遊技者にとって有利な特定遊技状態（たとえば、大当り遊技状態）に制御する遊技機であって、所定の動作を行なう可動部材（たとえば、第２の実施の形態および第３の実施の形態における可動部材７８や演出羽根役物７９ａ，７９ｂなどの役物）と、遊技機への電力供給が停止しても所定期間記憶内容を保持可能であり、制御を行なう際に発生する変動データを記憶する変動データ記憶手段（たとえば、バックアップＲＡＭとしてのＲＡＭ５５）と、遊技機への電力供給が開始されたときに、所定条件の成立（たとえば、クリアスイッチのオン）に基づいて変動データ記憶手段の記憶内容を初期化する初期化処理を実行する初期化手段（たとえば、遊技制御用マイクロコンピュータ５６０におけるステップＳ１０を実行する部分）と、初期化手段によって初期化処理が実行されたことに基づいて、初期化報知を実行する初期化報知手段（たとえば、第２の実施の形態および第３の実施の形態において、演出制御用マイクロコンピュータ１００におけるステップＳ３１０１〜Ｓ３１１１を実行する部分）と、遊技機への電力供給が開始されたことに基づいて、可動部材の初期動作を実行する初期動作実行手段（たとえば、第２の実施の形態および第３の実施の形態において、演出制御用マイクロコンピュータ１００におけるステップＳ７０８を実行する部分）とを備え、初期動作実行手段は、初期化報知手段による初期化報知の実行を終了した後に、可動部材の初期動作を実行し（たとえば、第２の実施の形態および第３の実施の形態において、演出制御用マイクロコンピュータ１００は、ステップＳ３５０２でＹと判定したことを条件にステップＳ３５０３以降の処理に移行して役物の初期動作を実行する）、可動部材の初期動作を開始するにあたって識別情報の可変表示が実行されているときには、可動部材の初期動作の実行を制限する（たとえば、第３の実施の形態において、演出制御用マイクロコンピュータ１００は、役物初期動作処理においてステップＳ３５０３ＡでＹのときステップＳ３５０４以降の処理に移行せず、役物の初期動作を開始しない）ことを特徴とする。そのような構成により、初期化処理が実行されたときに初期化報知と可動部材の初期動作とにかかる電力消費を分散することができる。また、識別情報の可変表示が実行される場合であっても可動部材の初期動作を実行することができる。